(57)【要約】【課題】  多数個の駒が連結され連結長さに可変性をもたせて組立てられるバンドについて、装飾性を良好にし製造コストを安価にし耐久性能を高める。【解決手段】  駒１の連結を近接させるように弾圧するバネ材２を備えて駒１の連結長さに可変性をもたせる。駒１は、装着される身体側の内側部材１１と装着される身体の反対側の外側部材１２とに分割されて隣接する駒１の内側部材１１，外側部材１２が交互にスライド可能に組付けられている。バネ材２は、駒１の内側部材１１，外側部材１２の対面する空間に常に維持されるように駒１の内側部材１１，外側部材１２の間に係止されている。【選択図】        図１
2014183865.tif 000002
【特許請求の範囲】
【請求項１】
駒の連結を近接させるように弾圧するバネ材を備えて駒の連結長さに可変性をもたせたバンドにおいて、駒は装着される身体側の内側部材と装着される身体の反対側の外側部材とに分割されて隣接する駒の内側部材，外側部材が交互にスライド可能に組付けられ、バネ材は駒の内側部材，外側部材の対面する空間に常に維持されるように駒の内側部材，外側部材の間に係止されていることを特徴とするバンド。
【請求項２】
請求項１のバンドにおいて、駒は内側部材と外側部材との間にバネ材の収用空間に位置されてバネ材の一端部が係止される中間部材が介装されていることを特徴とするバンド。
【請求項３】
請求項２のバンドにおいて、駒の中間部材は外側部材に固定されて内側部材のスライドを案内するものであることを特徴とするバンド。
【請求項４】
請求項３のバンドにおいて、駒の中間部材は内側部材を着脱可能に係止させるものであることを特徴とするバンド。
【発明の詳細な説明】
【技術分野】
【０００１】
本発明は、多数個の駒（連結単位）が連結され，駒を追加、削減することで連結長さに可変性をもたせて組立てられ腕時計用バンド，ブレスレッド等として使用されるバンドに係る技術分野に属する。
【背景技術】
【０００２】
駒が連結されて組立てられるバンドとしては、駒の連結長さに可変性をもたせ手首等の身体への装着脱を容易にしたものがある。ところで、この手のバントでは、駒の連結長さに可変性をもたせることによって駒の構造が複雑化するという傾向があった。このため、駒の構造を複雑化させることなく駒の連結長さに可変性をもたせる技術の開発が期待されている。
【０００３】
従来、駒の構造を複雑化させることなく駒の連結長さに可変性をもたせる技術としては、例えば、特許文献１に記載のものが知られている。
【０００４】
特許文献１には、駒の連結を近接させるように弾圧するバネ材の両端部を隣接される駒にろう付で固定したバンドが記載されている。
【０００５】
特許文献１に係るバンドは、バネ材の弾圧に抗して駒の連結を離間させて連結長さを伸張させることができるようにして、駒の連結長さに可変性をもたせたものである。
【先行技術文献】
【特許文献】
【０００６】
【特許文献１】特開平６−７８８１１号公報
【発明の概要】
【発明が解決しようとする課題】
【０００７】
特許文献１に係るバンドでは、駒の連結長さが伸張された際にバネ材の一部が離間した駒から露出されてしまうため、装飾性が不良であるという問題点がある。また、細小な部品であるバネ材をろう付で駒に固定するため、製造が面倒になって製造コストが高くなるという問題点がある。また、駒の連結部品とされるバネ材が疲労，変形しやすいため、駒の連結の整列性が崩れやすく耐久性能が低いという問題点がある。
【０００８】
本発明は、このような問題点を考慮してなされたもので、装飾性が良好で製造コストが安価で耐久性能が高く駒の連結長さの可変性に加え、駒の増減が容易なバンドを提供することを課題とする。
【課題を解決するための手段】
【０００９】
前述の課題を解決するため、本発明に係るバンドは、特許請求の範囲の各請求項に記載の手段を採用する。
【００１０】
即ち、請求項１では、駒の連結を近接させるように弾圧するバネ材を備えて駒の連結長さに可変性をもたせたバンドにおいて、駒は装着される身体側の内側部材と装着される身体の反対側の外側部材とに分割されて隣接する駒の内側部材，外側部材が交互にスライド可能に組付けられ、バネ材は駒の内側部材，外側部材の対面する空間に常に維持されるように駒の内側部材，外側部材の間に係止されていることを特徴とする。
【００１１】
この手段では、バネ材が駒の内側部材，外側部材の対面する空間に常に維持されることで、駒の連結長さが伸張された際に離間した駒からバネ材が露出されることがなくなる。また、バネ材が駒の内側部材，外側部材の間に係止されることで、ろう付等の面倒な製造工作が不要になっている。また、駒が内側部材，外側部材の組付けで連結されてバネ材の駒の連結部材としての機能を消失させていることで、バネ材が疲労，変形しても駒の連結の整列性が崩れなくなる。
【００１２】
また、請求項２では、請求項１のバンドにおいて、駒は内側部材と外側部材との間にバネ材の一端部が係止される中間部材が介装されていることを特徴とする。
【００１３】
この手段では、駒の内側部材，外側部材の間に介装された中間部材にバネ材の一端部が係止されることで、交互にスライド可能に組付けられる内側部材，外側部材の間へのバネ材の係止の製造工作が容易になる。
【００１４】
また、請求項３では、請求項２のバンドにおいて、駒の中間部材は外側部材に固定されて内側部材のスライドを案内するものであることを特徴とする。
【００１５】
この手段では、駒の中間部材が内側部材のスライドを案内することで、駒の連結長さの伸縮に精密性が確保される。
【００１６】
また、請求項４では、請求項３のバンドにおいて、駒の中間部材は内側部材を着脱可能に係止させるものであることを特徴とする。
【００１７】
この手段では、駒の中間部材に内側部材が着脱可能に係止されるたことで、駒の外側部材，中間部材に対して内側部材を簡単に着脱させることができる。
【発明の効果】
【００１８】
本発明に係るバンドは、バネ材が駒の内側部材，外側部材の対面する空間に常に維持されることで、駒の連結長さが伸張された際に離間した駒からバネ材が露出されることがなくなるため、装飾性が良好になる効果がある。また、バネ材が駒の内側部材，外側部材の間に係止されることで、ろう付等の面倒な製造工作が不要になっているため、製造コストが安価になる効果がある。また、駒が内側部材，外側部材の組付けで連結されてバネ材の駒の連結部材としての機能を消失させていることで、バネ材が疲労，変形しても駒の連結の整列性が崩れなくなるため、耐久性能が高くなる効果がある。
【００１９】
さらに、請求項２として、駒の内側部材，外側部材の間に介装された中間部材にバネ材の一端部が係止されることで、交互にスライド可能に組付けられる内側部材，外側部材の間へのバネ材の係止の製造工作が容易になるため、製造が容易になる効果がある。
【００２０】
さらに、請求項３として、駒の中間部材が内側部材のスライドを案内することで、駒の連結長さの伸縮に精密性が確保されるため、手首等の身体への装着脱が容易，円滑になる効果がある。
【００２１】
さらに、請求項４として、駒の中間部材に内側部材が着脱可能に係止されることで、駒の外側部材，中間部材に対して内側部材を簡単に着脱させることができるため、連結される駒数の増減を簡単に調整することができる効果がある。
【図面の簡単な説明】
【００２２】
【図１】本発明に係るバンドを実施するための形態の内側面の正面図であり、（Ａ）に駒の連結長さの収縮状態が示され、（Ｂ）に駒の連結長さの伸張状態が示されている。
【図２】図１（Ａ）のＹ−Ｙ線拡大断面図である。
【図３】図２の他の動作状態図である。
【図４】図１（Ａ）のＸ−Ｘ線拡大断面図である。
【図５】図１（Ｂ）の背面図（外側面の正面図）である。
【発明を実施するための形態】
【００２３】
以下、本発明に係るバンドを実施するための形態を図面に基づいて説明する。
【００２４】
この形態では、腕時計用として使用するに好適なものを示してある。
【００２５】
この形態は、図１に示すように、駒１（内側部材１１，外側部材１２，中間部材１３）とバネ材２とを主要部としている構成されている。
【００２６】
駒１は、ステンレス等のほぼ同一厚さの金属板から屈曲加工により形成されたもので、内側部材１１，外側部材１２，中間部材１３の各部が屈曲加工，カシメ加工によって組付けられている。
【００２７】
駒１の内側部材１１は、装着される身体側に位置されるものであって、ほぼ正方形の内側板１１ａと、内側板１１ａの一方の端部（駒１の連結方向の）に小さく外側（装着される身体の反対側）に折曲げられて図３白矢印に示すように中間部材１３に着脱可能に係止され連結端部１１ｂと、内側板１１ａの他方の端部に大きく外側にＬ字形に屈曲されて外側部材１２，中間部材１３に収容されバネ材２の端部が係止されるバネ受１１ｃと、内側板１１ａの内側面に設けられマグネット，宝石等の付属物３を固定する付属物取付座１１ｄとからなる。なお、付属物３は、健康増進（マグネット）や装飾効果（宝石）のために付設されるものである。
【００２８】
駒１の外側部材１２は、装着される身体の反対側に位置されるものであって、内側部材１１の内側板１１ａよりもわずかに大きく外側面に凹凸の装飾が施されたほぼ正方形の外側板１２ａと、外側板１２ａの上下の端部（駒１の連結方向に直交する方向の）にそれぞれ内側にＬ字形に屈曲され外側板１２ａとともに内側部材１１の一部と中間部材１３とバネ材２とを収容する空間を区画する上下側板１２ｂと、上下側板１２ｂの左右の端部（駒１の連結方向の）に駒１の連結方向へ突出または切込みされた係合部１２ｃと、上下側板１２ｂの左右の端部に上下側板１２ｂによって区画される空間に向けて折曲げられて空間に収容された中間部材１３を固定するカシメ片１２ｄとからなる。上下側板１２ｂの上下方向の間隔（Ｌ字の先端の間隔）は、内側部材１１の内側板１１ａの上下方向に幅と一致されている。
【００２９】
駒１の中間部材１３は、外側部材１２の外側板１２ａ，上下側板１２ｂに囲まれる空間の上下側板１２ｂの部分におさまるように断面形状がほぼ方形になるように屈曲されたスライダ部１３ａと、外側部材１２の上下側板１２ｂによって開口されている面に位置されて上下側板１２ｂよりもわずかに上下方向へ突出された額縁形の枠部１３ｂと、枠部１３ｂの左右の枠辺の一方に設けられバネ材２を係止させる係止片１３ｃとからなる。なお、枠部１３ｂの左右の枠辺の他方には、隣接する駒１の内側部材１１の連結端部１１ｂが係止されることになる。この結果、駒１の内側部材１１のバネ受１１ｃが中間部材１３の内部に収容されることになる。即ち、隣接する内側部材１１，外側部材１２が交互に連結されることになる。また、スライダ部１３ａは、内側部材１１のバネ受１１ｃと上下方向の幅が一致されるとともに、枠部１３ｂの上下の枠辺の間隔よりも上下方向の幅が長くされて、外側部材１２のカシメ片１２ｄによって固定される。
【００３０】
バネ材２は、ステンレス等の金属線で捲回された扁平のコイルスプリングからなるもので、駒１の内側部材１１のバネ受１１ｃと中間部材１３の係止片１３ｃとの間に駒１の連結方向へ伸縮可能に掛渡され、駒１の内側部材１１，外側部材１２がほぼ全面的に対面されて駒１の連結を近接させ駒１の連結長さを収縮させるように弾圧している。
【００３１】
この形態によると、バネ材２が駒１の内側部材１１，外側部材１２，中間部材１３の間に係止されることで、ろう付等の面倒な製造工作が不要になっている。従って、製造コストが安価になる。特に、駒１が金属板から屈曲加工により形成され、内側部材１１，外側部材１２，中間部材１３の各部が屈曲加工，カシメ加工によって組付けられている。そして、駒１の内側部材１１，外側部材１２の間に介装された中間部材１３にバネ材２の一端部が係止されることで、交互にスライド可能に組付けられる内側部材１１，外側部材１２の間へのバネ材２の係止の製造工作が容易になる。従って、製造が容易になる。
【００３２】
この形態の通常時である駒１の連結長さの収縮状態では、図１（Ａ）に示すように、駒１の内側部材１１，外側部材１２が内側，外側で駒１の連結方向へ近接して連続した格好となって、駒１の内部に伸張した状態のバネ材２が完全に被覆される。なお、図１（Ａ）状態では、駒１の外側部材１２の係合部１２ｃが係合されて駒１の内外方向へのずれが防止されている。また、逆に駒１の連結長さの伸張状態では、図１（Ｂ）に示すように、駒１の内側部材１１，外側部材１２が内側，外側で駒１の連結方向へ離間して間隔を介した格好となるものの、収縮した状態のバネ材２の駒１の内部への完全な被覆が維持され、バネ材２が一部でも駒１の外部に露出することがない（図４参照）。従って、装飾性が良好になる。    
【００３３】
また、駒１が内側部材１１，外側部材１２，中間部材１３の組付けで連結されてバネ材２の駒１の連結部材としての機能を消失させている。この結果、バネ材２が疲労，変形しても、駒１の連結の整列性が崩れなくなる。従って、耐久性能が高くなる。
【００３４】
さらに、この形態では、駒１の内側部材１１，外側部材１２，中間部材１３の前述の寸法設定から、外側部材１２，中間部材１３に対する内側部材１１のスライドについて、中間部材１３の枠部１３ｂが内側部材１１のバネ受１１ｃの中間部材１３の内部からの抜止め機能を奏し、中間部材１３のスライダ部１３ａが内側部材１１のバネ受１１ｃのスライドの案内機能を奏し、中間部材１３の枠部１３ｂと外側部材１２の上下側板１２ｂとが内側部材１１の内側板１１ａのスライドの案内機能を奏する。従って、駒１の連結長さの伸縮に精密性が確保されるため、手首等の身体への装着脱が容易，円滑になる。
【００３５】
また、駒１の内側部材１１，外側部材１２，中間部材１３の前述の材料の厚さと寸法設定とから、駒１の外側部材１２の上下側板１２ｂと中間部材１３の枠部１３ｂとの段差を埋めるように内側部材１１の内側板１１ａが位置される。従って、駒１の内外方向への無用の突出が避けられ、装飾性がより良好になる。
【００３６】
また、駒１の中間部材１３に内側部材１１が着脱可能に係止されるたことで、駒１の外側部材１２，中間部材１３に対して内側部材１１を簡単に着脱させることができる。この結果、駒１が外側部材１２，中間部材１３と内側部材１１が交互に組付けられているため、駒１の連結を簡単に解除することができる。従って、連結される駒１の数を簡単に調整することができる。
【００３７】
以上、図示した形態の外に、駒１，バネ材２を合成樹脂材等の他の材料で形成することも可能である。
【００３８】
さらに、駒１の中間部材１３を省略して内側部材１１，外側部材１２を直接的に組付ける構成とすることも可能である。
【産業上の利用可能性】
【００３９】
本発明に係るバンドは、腕時計用バンドの外に、ブレスレッド等の広汎なバンド類に適用することが可能である。
【符号の説明】
【００４０】
１   
駒
１１          内側部材
１２          外側部材
１３          中間部材
２            バネ材
【図１】
2014183865.tif 000003
【図２】
2014183865.tif 000004
【図３】
2014183865.tif 000005
【図４】
2014183865.tif 000006
【図５】
2014183865.tif 000007